(57)【特許請求の範囲】
【請求項１】
第一の床根太に対し、第二の床根太を突当てた状態で固定する固定部を備え、
該固定部が、第一の床根太の側面に当接可能な平面部と、該平面部から面外方向へ立設されて、第二の床根太の端部の両側面および底面を包持可能な正面視ほぼＵ字状の立設部とを一体的に有する建築用金物において、
前記平面部が、正面視ほぼＵ字状の立設部の内側に位置する内面部と、第一の床根太の長手方向中央側へ向け立設部よりも外側に張出すよう設けられる片側張出面部とを備えると共に、該片側張出面部とは反対側への張出しのない他側非張出部を有することを特徴とする建築用金物。
【請求項２】
少なくとも前記内面部に対し、第一の床根太の側面に取付けるための取付孔が設けられたことを特徴とする請求項１記載の建築用金物。
【請求項３】
前記Ｕ字状の立設部の両側板部に対し、第二の床根太の両側面を取付けるための取付孔が、それぞれ位置をズラして設けられたことを特徴とする請求項１または請求項２記載の建築用金物。
【請求項４】
前記Ｕ字状の立設部の両側板部が、第二の床根太を二本分収容配置可能な間隔を有して離間配置されていることを特徴とする請求項１ないし請求項３のいずれか１項に記載の建築用金物。
【請求項５】
既設の建物の小屋裏に対し、第一の床根太と、該第一の床根太に直交する複数の第二の床根太とを組合せて新たな床組を構築した改築構造であって、
前記第一の床根太の端部と、最も外側に位置する第二の床根太とを、請求項１ないし請求項４のいずれか１項に記載の建築用金物を用いて固定したことを特徴とする改築構造。
【請求項６】
既設の建物の小屋裏に対し、第一の床根太と、該第一の床根太に直交する複数の第二の床根太とを組合せて新たな床組を構築する改築方法であって、
前記第一の床根太の端部と、最も外側に位置する第二の床根太とを、請求項１ないし請求項４のいずれか１項に記載の建築用金物を用いて固定することを特徴とする改築方法。
【発明の詳細な説明】
【技術分野】
【０００１】
この発明は、建築用金物、改築構造及び改築方法に関するものである。
【背景技術】
【０００２】
既設の建物の小屋裏に対して、後から新たにロフトを作るなどの改築が行われている。このようなロフトは、第一の床根太と、この第一の床根太に直交する複数の第二の床根太とを組合せて構築された新たな床組を有するものとなる。
【０００３】
そして、この第一の床根太に対して、第二の床根太を突当てた状態で固定するために、従来、図７、図８に示すような建築用金物１が用いられている。
【０００４】
この建築用金物１は、第一の床根太の側面に当接可能な左右一対の羽根板部２と、各羽根板部２の内側縁部から面外方向へ立設されて、第二の床根太の端部の両側面および底面を包持可能な正面視ほぼＵ字状の立設部３とを一体に有している。
【０００５】
立設部３の両側板部４および羽根板部２には、それぞれ第二の床根太の側面および第一の床根太の側面に対し、釘やボルトなどの取付部材を用いて取付可能な取付孔６が形成されている。
【０００６】
なお、同様の建築用金物１には、例えば、特許文献１や特許文献２に開示されるものなどが存在する。
【先行技術文献】
【特許文献】
【０００７】
【特許文献１】特開昭６０−２３８５４３号公報
【特許文献２】特開２００９−４１３１１
【発明の概要】
【発明が解決しようとする課題】
【０００８】
しかしながら、上記従来の建築用金物１では、一対の羽根板部２が、左右に分離して設けられているため、建築用金物１自体の強度が余り高くなかった。また、各羽根板部２は狭幅であったため、第一の床根太の側面に対する取付面積も小さかった。
【０００９】
また、左右一対の羽根板部２は、それぞれ立設部３の両側板部４よりも外側へ張出しているため、最も外側に位置する第二の床根太を、第一の床根太の端部ぎりぎりに取付けることができなかった。仮に、上記建築用金物１を用いて、最も外側に位置する第二の床根太を、第一の床根太の端部ぎりぎりの位置に取付けようとした場合、一方の羽根板部２が第一の床根太の端部からはみ出してしまい、第一の床根太への固定ができなくなるため、はみ出た一方の羽根板部２がむき出しになったり、建物と干渉したりすることになる。
【課題を解決するための手段】
【００１０】
上記課題を解決するために、本発明は、第一の床根太に対し、第二の床根太を突当てた状態で固定する固定部を備え、該固定部が、第一の床根太の側面に当接可能な平面部と、該平面部から面外方向へ立設されて、第二の床根太の端部の両側面および底面を包持可能な正面視ほぼＵ字状の立設部とを一体的に有する建築用金物において、前記平面部が、正面視ほぼＵ字状の立設部の内側に位置する内面部と、第一の床根太の長手方向中央側へ向け立設部よりも外側に張出すよう設けられる片側張出面部とを備えると共に、該片側張出面部とは反対側への張出しのない他側非張出部を有することを特徴としている。
【発明の効果】
【００１１】
本発明によれば、上記構成によって、建築用金物自体の強度をより高いものとすることができる。また、第二の床根太を第一の床根太の端部ぎりぎりの位置に取付けることができるようになると共に、建築用金物と建物との干渉などを防止することができる。
【図面の簡単な説明】
【００１２】
【図１】本発明の実施例にかかる、既設の建物の一例を示す正面図である。
【図２】図１の中央の屋根ユニットに設けられる床組を示す斜視図である。
【図３】図２の床組の平面図である。
【図４】図３の部分拡大斜視図である。
【図５】図４の建築用金物の斜視図である。
【図６】図５の建築用金物の（ａ）正面図、（ｂ）底面図、（ｃ）左側面図、（ｄ）右側面図である。
【図７】従来の建築用金物の斜視図である。
【図８】図７の建築用金物の（ａ）正面図、（ｂ）上面図、（ｃ）左側面図、（ｄ）右側面図である。
【発明を実施するための形態】
【００１３】
以下、本発明を具体化した実施例を、図面を用いて詳細に説明する。
【実施例】
【００１４】
＜構成＞以下、構成について説明する。
【００１５】
図１は既設の建物の一例を示している。
【００１６】
この建物１１は、下階１２と、上階１３と、屋根部１４とを備えている。下階１２と上階１３との間には、上下階間隔壁として、特に明確には図示しない下階天井部と上階床部とが設けられている。また、上階１３と屋根部１４との間には、上階屋根間隔壁として、特に明確には図示しない上階天井部が設けられている。そして、屋根部１４の内部には、小屋裏１５（空間）が形成されている。なお、建物１１の構成は、これに限るものではない。
【００１７】
そして、上記した建物１１はどのような構造のものであっても良いが、この場合には、ユニット建物１１Ａとされている。ユニット建物１１Ａは、予め工場で製造された複数の建物ユニットを現場で組立てることによって構築されるものである。この場合、下階１２は、３個の建物ユニット（下階ユニット１２ａ〜１２ｃ）を横に並べることによって構成されている。また、上階１３は、３個の建物ユニット（上階ユニット１３ａ〜１３ｃ）を横に並べることによって構成されている。屋根部１４は、３個の建物ユニット（屋根ユニット１４ａ〜１４ｃ）を横に並べることによって構成されている。なお、これらの建物ユニット（下階ユニット１２ａ〜１２ｃ、上階ユニット１３ａ〜１３ｃ、屋根ユニット１４ａ〜１４ｃ）は、上下方向に対して整然と積重ねられている。また、下階ユニット１２ａ〜１２ｃおよび上階ユニット１３ａ〜１３ｃは、直方体状のものとされている。これに対し、屋根ユニット１４ａ〜１４ｃは、屋根部１４の形状を３分割した形状とされている。
【００１８】
そして、このような既設の建物１１の小屋裏１５に対して、後から新たにロフト１６（小屋裏部屋）を作るなどの改築を行うようにする。この場合、ロフト１６は、中央に位置する屋根ユニット１４ｂの内部に設けるようにする。また、ロフト１６の構築の際には、上記した上階天井部の少なくとも一部が取外されることになる。
【００１９】
図２は、中央の屋根ユニット１４ｂ（およびその内部に設けられるロフト１６の床組１９ａ）を示す斜視図である。中央の屋根ユニット１４ｂは、その上部における、長辺部分に一対の上梁部１７を有すると共に、短辺部分に一対の屋根トラス１８が設けられている。この屋根トラス１８は、建物１１の屋根部１４（切妻屋根）の頂部形状を構成可能なものであり、少なくとも一本の底辺材と二本の斜辺材とを有する二等辺三角形状の木組構造物とされている。
【００２０】
そして、上記したロフト１６の床部１９は、その骨組を構成する床組１９ａと、この床組１９ａに対して貼設される図示しない床面材とを備えている。
【００２１】
図３に示すように、ロフト１６の床組１９ａは、第一の床根太２１と、この第一の床根太２１に直交する複数の第二の床根太２２とによって構成される。この場合、床組１９ａは、矩形状とされている。
【００２２】
このうち、第一の床根太２１は、中央の屋根ユニット１４ｂの短辺部分に沿って水平に一対設けられる。また、第二の床根太２２は、中央の屋根ユニット１４ｂの長辺部分に沿って水平に一対設けられる(以下、最も外側の第二の床根太２２ａと称する)と共に、その間に所定の間隔を有して複数本平行に設けられる（以下、中間の第二の床根太２２と称する）。
【００２３】
そして、隣接する第二の床根太２２間には、必要に応じて、第一の床根太２１と平行な短い横桁２３（ランバー部材）が架設される。また、ロフト１６の床部１９に対して昇降用の開口部２４を設ける場合には、開口部２４を通る第二の床根太２２ｃにおける開口部２４と干渉する部分をカットすると共に、カットした第二の床根太２２ｃの切断面に対して、その側面が突当たるように、第一の床根太２１と平行な一対の開口縁部材２５を設置し、この開口縁部材２５の両端部を、カットした第二の床根太２２ｃに隣接する第二の床根太２２の側面に突当てて固定する。
【００２４】
また、上記した床面材は、構造用床合板や、断熱ボードや、仕上床面材などによって構成される。
【００２５】
そして、第一の床根太２１と第二の床根太２２とは、例えば、図４〜図６に示すように、建築用金物３１を用いて固定される。この建築用金物３１は、第一の床根太２１に対し、第二の床根太２２を突当てた状態で固定する固定部を備えている。この固定部は、第一の床根太２１の側面に当接可能な平面部３３と、平面部３３から面外方向へ立設された立設部３４とを一体的に有するものとされる。
【００２６】
ここで、面外方向は、平面部３３の面直外方で、第一の床根太２１の側面から離れる方向を指す。立設部３４は、第二の床根太２２の端部の両側面に当接可能な両側板部３５，３６と、第二の床根太２２の端部の底面に当接係止可能な底板部３７とを有する正面視ほぼＵ字状を呈している。両側板部３５，３６は、互いに平行となるように設けられている。
【００２７】
この実施例では、上記建築用金物３１は、以下のようなものとされる。
【００２８】
（構成１）
上記平面部３３が、正面視ほぼＵ字状の立設部３４の内側に位置する内面部４１と、第一の床根太２１の長手方向中央側へ向け立設部３４よりも外側（一側方）に張出すよう設けられる片側張出面部４２とを備える。そして、上記平面部３３は、片側張出面部４２とは反対側（他側方）への張出しのない他側非張出部４３を有する。
【００２９】
ここで、内面部４１は、第二の床根太２２の端面が当接可能なものとされる。内面部４１と片側張出面部４２とは、連続した面とされる。この場合、片側張出面部４２は、内面部４１とほぼ同程度の幅寸法に形成されている。
【００３０】
上記した建築用金物３１は、この場合、一枚の矩形状の金属板をＬ字状に曲げることにより、一方の側板部３５と、平面部３３とを形成し、この平面部３３の内面部４１と片側張出面部４２との境界部分に他の矩形状の金属板を溶接固定することにより他方の側板部３６を設け、更に、平面部３３における内面部４１の下縁部に別の矩形状の金属板を溶接固定することにより底板部３７を設けるようにして製造される。この場合、底板部３７の両側縁部は、両側板部３５，３６の下縁部に対し溶接して一体化（或いは、両側板部３５，３６の下縁部を連結）するようにしても良い。この場合、底板部３７は、両側板部３５，３６よりも面外方向への張出量が小さいものとされている（ほぼ半分程度の張出量とされている）。但し、底板部３７の面外方向への張出量は、第二の床根太２２の端部の底面を支持するのに適していれば任意のものとすることができ、例えば、両側板部３５，３６と同じにするか、或いは、それよりも若干小さくまたは大きくしても良い。
【００３１】
（構成２）
主に図６に示すように、少なくとも上記内面部４１に対し、第一の床根太２１の側面に取付けるための取付孔４１ａが設けられる。
【００３２】
ここで、取付孔４１ａは、釘やボルトなどの取付部材４４（図４に示すものと同様のもの）を用いて第一の床根太２１に取付けるためのものである。この場合、取付孔４１ａは、複数個、上下方向に一列状態で設けられている。
なお、同様の取付孔４２ａは、片側張出面部４２に対しても設けられる。この場合、取付孔４２ａは、複数個、上下方向に二列状態で設けられている。
【００３３】
（構成３）
そして、Ｕ字状の立設部３４の対向する両側板部３５，３６に対し、第二の床根太２２の両側面を取付けるための取付孔３５ａ，３６ａが、それぞれ位置をズラして設けられる。即ち、取付孔３５ａ，３６ａが、互いに対向しないように、或いは、互いの位置が一致しないように設けられる。
【００３４】
ここで、取付孔３５ａ，３６ａは、釘やボルトなどの取付部材４４を用いて第二の床根太２２に取付けるためのものである。この場合、取付孔３５ａは、複数個、上下方向に対し一列状態で設けられている。これに対し、取付孔３６ａは、複数個、上下方向に対し二列状態で設けられている。そして、各取付孔３５ａ，３６ａは、上下方向および幅方向（上記した面外方向）の両方に対して、その位置が互いにズラされている。
【００３５】
なお、上記各取付孔４１ａ，４２ａ，３５ａ，３６ａは、上記した３枚の金属板を溶接して建築用金物３１の形にする前に、各金属板に対して予め形成しておくようにする。
【００３６】
（構成４）
図４に示すように、上記Ｕ字状の立設部３４の両側板部３５，３６が、第二の床根太２２を二本分収容配置可能な間隔４５を有して離間配置される。
【００３７】
ここで、第二の床根太２２には、例えば、２×４材などの規格材が使用される。この場合には、規格材の規格幅寸法の二倍の間隔４５（図５参照）とされる。これにより、第二の床根太２２は、横に二本重ねてＵ字状の立設部３４の両側板部３５，３６の間に挿入配置されることとなる。
【００３８】
（構成５）
上記した建築用金物３１は、少なくとも、第一の床根太２１の端部と、最も外側の第二の床根太２２ａとの間の固定部分に対して用いるようにする（図２中、Ａ部）。
【００３９】
なお、上記した建築用金物３１は、第一の床根太２１と、中間の第二の床根太２２との固定部分に対して用いるようにしても良い。ここでは、第一の床根太２１と、中間の第二の床根太２２との固定部分には、特に図示しないが、図７、図８に示したのと同様の建築用金物１を用いるようにしている。
【００４０】
＜作用＞以下、この実施例の作用について説明する。
【００４１】
既設の建物１１の小屋裏１５に対し、第一の床根太２１と、第一の床根太２１に直交する複数の第二の床根太２２とを組合せて新たな床組１９ａを構築する。
【００４２】
この際、第一の床根太２１の端部と、少なくとも最も外側に位置する第二の床根太２２ａとの間を、上記した建築用金物３１を用いて固定する。
【００４３】
このようにすることにより、第一の床根太２１の端部ぎりぎりに、最も外側に位置する第二の床根太２２ａを取付けることができると共に、建築用金物３１がはみ出すことのないロフト１６の床組１９ａを作ることができる。
【００４４】
＜効果＞この実施例によれば、以下のような効果を得ることができる。
【００４５】
（効果１）
平面部３３が、正面視ほぼＵ字状の立設部３４の内側に位置する内面部４１と、第一の床根太２１の長手方向中央側へ向け立設部３４よりも外側に張出すよう設けられる片側張出面部４２とを備えることにより、平面部３３は、内面部４１と片側張出面部４２とが連続する大きな面積の面となるので、建築用金物３１自体の強度をより高くすることができる。
【００４６】
また、平面部３３が、片側張出面部４２とは反対側への張出しのない他側非張出部４３を有することにより、第二の床根太２２を第一の床根太２１の端部ぎりぎりの位置に取付けることが可能となると共に、建築用金物３１と建物１１との干渉などを防止することができる。
【００４７】
（効果２）
少なくとも内面部４１に対し、第一の床根太２１の側面に取付けるための取付孔４１ａが設けられたことにより、内面部４１は、正面視ほぼＵ字状の立設部３４の内側に位置して、しかも、面積が比較的大きいため、平面部３３の第一の床根太２１の側面に対する取付強度を大きくすることができる。
【００４８】
（効果３）
Ｕ字状の立設部３４の両側板部３５，３６に対し、第二の床根太２２の両側面を取付けるための取付孔３５ａ，３６ａが、それぞれ位置をズラして設けられたことにより、立設部３４の両側から相互に干渉することなく第二の床根太２２を固定することができる。このことは、特に、後述するように第二の床根太２２を二本まとめて取付ける場合に、各側からそれぞれ第二の床根太２２を二本同時に別々に固定するのに有効となる。
【００４９】
（効果４）
Ｕ字状の立設部３４の両側板部３５，３６が、第二の床根太２２を二本分収容配置可能な間隔４５を有して離間配置されていることにより、第二の床根太２２を二本合わせて設置することができるので（即ち、二重根太仕様にすることができるので）、その分、第一の床根太２１と第二の床根太２２とで構築される床組１９ａの強度を高めることができる。
【００５０】
（効果５）
少なくとも、第一の床根太２１の端部と、最も外側の第二の床根太２２ａとの固定部分に対して、上記した建築用金物３１を用いる改築構造または改築方法によれば、上記と同様の効果を得ることができると共に、構築される床組１９ａをより強固なものとすることができる。
【００５１】
以上、この発明の実施例を図面により詳述してきたが、実施例はこの発明の例示にしか過ぎないものであるため、この発明は実施例の構成にのみ限定されるものではなく、この発明の要旨を逸脱しない範囲の設計の変更等があってもこの発明に含まれることは勿論である。また、例えば、各実施例に複数の構成が含まれている場合には、特に記載がなくとも、これらの構成の可能な組合せが含まれることは勿論である。また、複数の実施例や変形例が示されている場合には、特に記載がなくとも、これらに跨がった構成の組合せのうちの可能なものが含まれることは勿論である。また、図面に描かれている構成については、特に記載がなくとも、含まれることは勿論である。更に、「等」の用語がある場合には、同等のものを含むという意味で用いられている。また、「ほぼ」「約」「程度」などの用語がある場合には、常識的に認められる範囲や精度のものを含むという意味で用いられている。
【符号の説明】
【００５２】
１１  建物
１５  小屋裏
１９ａ  床組
２１  第一の床根太
２２  第二の床根太
２２ａ  最も外側に位置する第二の床根太
３１  建築用金物
３３  平面部
３４  立設部
３５ａ  取付孔
３６ａ  取付孔
４１  内面部
４２  片側張出面部
４３  他側非張出部
４１ａ  取付孔
４５  間隔
【要約】
【課題】主に、構造上の問題を解消すると共に、建物との干渉などを防止し得るようにする。
【解決手段】第一の床根太２１に対し、第二の床根太２２を突当てた状態で固定する固定部を備え、固定部が、第一の床根太２１の側面に当接可能な平面部３３と、平面部３３から面外方向へ立設されて、第二の床根太２２の端部の両側面および底面を包持可能な正面視ほぼＵ字状の立設部３４とを一体的に有する建築用金物３１である。そして、平面部３３が、正面視ほぼＵ字状の立設部３４の内側に位置する内面部４１と、第一の床根太２１の長手方向中央側へ向け立設部３４よりも外側に張出すよう設けられる片側張出面部４２とを備える。また、平面部３３が、片側張出面部４２とは反対側への張出しのない他側非張出部４３を有する。
【選択図】図５【図１】
0004769337.tif 000002
【図２】
0004769337.tif 000003
【図３】
0004769337.tif 000004
【図４】
0004769337.tif 000005
【図５】
0004769337.tif 000006
【図６】
0004769337.tif 000007
【図７】
0004769337.tif 000008
【図８】
0004769337.tif 000009